(57)【要約】      （修正有）【課題】エネルギー貯蔵装置内部の気圧が過大になり破裂するのを防止することで、エネルギー貯蔵装置の使用安全性を強化し、製造を簡単迅速にする減圧構造を提供する。【解決手段】減圧構造は、複数の減圧パターンにより構成され、外装体エンドプレート上に設けられ、各前記減圧パターンはガイド線、破裂線、および緩衝線に分かれ、緩衝線はガイド線と破裂線の間に配置されてガイド線と破裂線を連通させ、前記破裂線は相互連通して１つの連続破裂線となる。【選択図】図４
0003178423.tif 000002
【実用新案登録請求の範囲】
【請求項１】
少なくとも１つの外装体エンドプレートと、
前記外装体エンドプレート上に設けられ、それぞれがガイド線、破裂線、および緩衝線に分かれ、前記緩衝線は前記ガイド線と前記破裂線の間に配置されて前記ガイド線と前記破裂線を連通させ、前記破裂線は相互連通して１つの連続破裂線となる、複数の減圧パターン構成と、
を含むことを特徴とする減圧構造。
【請求項２】
前記ガイド線は、前記緩衝線と連通する箇所から分岐して延伸することを特徴とする、請求項１に記載の減圧構造。
【請求項３】
前記ガイド線は、屈折線または円弧線であることを特徴とする、請求項２に記載の減圧構造。
【請求項４】
前記破裂線は、前記緩衝線と連通する箇所から分岐して延伸することを特徴とする、請求項１に記載の減圧構造。
【請求項５】
前記破裂線は、屈折線または円弧線であることを特徴とする、請求項４に記載の減圧構造。
【請求項６】
前記減圧パターンは、スタンピングにより厚みを減少した前記減圧パターンを形成することを特徴とする、請求項１に記載の減圧構造。
【請求項７】
内部にセルを設け、前記セルは、巻回電極体と、巻回電極体の正極と負極から延出した導電タブと、正極負極の前記導電タブに接続する２つの内端子を備えたものである外装体と、
前記外装体上部に設置された少なくとも１つの蓋体と、
前記蓋体上に設けられ、複数の減圧パターンから構成され、各前記減圧パターンは、ガイド線、破裂線、および緩衝線に分かれ、前記緩衝線は前記ガイド線と前記破裂線の間に配置されて前記ガイド線と前記破裂線を連通させ、前記破裂線は相互連通して１つの連続破裂線となる減圧構造と、
を備えることを特徴とするエネルギー貯蔵装置。
【請求項８】
前記外装体に少なくとも１つの開口を設け、前記蓋体を用いて前記開口を閉塞することを特徴とする、請求項７に記載のエネルギー貯蔵装置。
【請求項９】
前記外装体の両端にはそれぞれ１つずつ前記開口を設け、各前記開口には前記蓋体を設け、前記蓋体には貫通孔を設けて前記内端子を外に突出させてそれぞれ導電端子を接続設置することを特徴とする、請求項７に記載のエネルギー貯蔵装置。
【請求項１０】
各前記導電端子および各前記蓋体の間には更にワッシャーを設けて前記外装体を密閉することを特徴とする、請求項７に記載のエネルギー貯蔵装置。
【請求項１１】
前記外装体の内圧が設定値を超過した時、前記減圧パターンの前記ガイド線から圧力が前記連続破裂線に誘導されることで、前記連続破裂線が裂開し前記外装体内部の圧力が開放されることを特徴とする、請求項７に記載のエネルギー貯蔵装置。
【考案の詳細な説明】
【技術分野】
【０００１】
本考案は減圧構造に関するものであり、特に、エネルギー貯蔵装置内部の気圧が過大になるのを防止するエネルギー貯蔵装置の外装体エンドプレートの減圧構造に関するものである。
【背景技術】
【０００２】
エネルギー貯蔵装置は、二次電池を例に挙げると、繰り返し使用でき、環境に優しく、環境の二次汚染を招き難い等多くの長所を有することが一般的によく知られており、現在の二次電池技術は発展初期に比べると成熟傾向にあり、エネルギー貯蔵密度も既にかなり高くなっている。
このため二次電池は、コンパクトで携帯に便利という市場競争において優勢となる長所を兼ね備えているものの、不適切な充電放電過程に置かれた場合、化学反応により気体が放出され、二次電池内部の気体圧力が高くなりすぎ、二次電池が破裂する可能性がある。
したがって、二次電池に減圧装置を設置して内部気体を抜けば、二次電池内部の圧力が高くなりすぎることにより生じる破裂を防止できる。
【０００３】
図１は公知のエネルギー貯蔵装置の斜視図である。図に示すように、エンドキャップ５０はエネルギー貯蔵装置の外装体５２両端に設置され、エンドキャップ５０には少なくとも１つの貫通孔５４を設け、貫通孔５４には、レーザー溶接により少なくとも１つの安全弁５６をエンドキャップ５０の貫通孔５４中に溶接する。これにより、エネルギー貯蔵装置内部の気体圧力が高くなりすぎたとき、安全弁５６が突き破られ、内部気体圧力が放出される。
しかし、安全弁５６が小さすぎると、気体の放出が制限され、気体放出が遅くなりやすい。
また、安全弁の溶接取り付け手続きは煩雑であり、部品も多くなり、エネルギー貯蔵装置組み立て工程も煩雑で、非常に時間がかかる。
【考案の概要】
【考案が解決しようとする課題】
【０００４】
これらの点を考慮し、上述した公知技術の欠点に対して問題を克服すべく、本考案は減圧構造を提案する。本考案の主な目的は、エネルギー貯蔵装置内部で異常な電気的反応により高温気体が発生し、発火や破裂が生じるのを防止し、エネルギー貯蔵装置の使用安全性を強化する減圧構造を提供することにある。
【０００５】
本考案のもう１つの目的は、内部圧力が限度値を超えた時、より迅速に内部圧力を放出し、エネルギー貯蔵装置使用時に更に保護する減圧構造を提供することにある。
【０００６】
本考案の更なる目的は、減圧パターンと外装体エンドプレートを一体成形することで、シンプルな構造で、製造コストが低く、生産効率の高い減圧構造を提供することにある。
【課題を解決するための手段】
【０００７】
上述の目的を達成するため、本考案が提供する減圧構造は、複数の減圧パターンにより構成され、外装体エンドプレート上に設けられ、各前記減圧パターンはガイド線、破裂線および緩衝線に分かれ、前記緩衝線は、前記ガイド線と前記破裂線の間に配置されて前記ガイド線と前記破裂線を連通させ、前記破裂線は相互連通して一本の連続破裂線となる。
【０００８】
また、本考案が提供するエネルギー貯蔵装置は、外装体と、少なくとも１つの蓋体と、減圧構造を備える。前記外装体内部にはセルを設け、前記セルは、巻回電極体と、前記巻回電極体の正極と負極から延出した導電タブと、正極と負極の前記導電タブに接続する２つの内端子を備える。前記蓋体は前記外装体上部に設置される。前記減圧構造は、複数の減圧パターンから構成され、各前記減圧パターンはガイド線、破裂線および緩衝線に分かれ、前記緩衝線は前記ガイド線と前記破裂線の間に配置されて前記ガイド線と前記破裂線を連通させ、前記破裂線は相互連通して一本の連続破裂線となる。
【考案の効果】
【０００９】
本考案によれば、エネルギー貯蔵装置内部の異常な化学反応により内部が高圧になりエネルギー貯蔵装置の破裂が起きるのを回避できる。内部圧力が限度値を超えた時、迅速に内部圧力を開放し、発火や破裂を防止することで、エネルギー貯蔵装置の使用安全性を強化できる。
また、本考案はシンプルな構造で、製造コストが低く、生産効率が高く、組み立てもスピーディーかつ容易である。
【図面の簡単な説明】
【００１０】
【図１】公知のエネルギー貯蔵装置の斜視図。
【図２】本考案の斜視図。
【図３】本考案の構造断面図。
【図４】本考案の減圧構造を示す図。
【図５】本考案の減圧状態を示す図。
【考案を実施するための形態】
【００１１】
本考案の構造特徴と達成される効果の更なる理解と認識のため、図面を参照しながら好ましい実施例を挙げて以下に説明する。
【実施例】
【００１２】
図２と図３を併せて参照されたい。
図に示すように、本考案の減圧構造１０はエネルギー貯蔵装置上部に設置される。エネルギー貯蔵装置は外装体１２、少なくとも１つの蓋体１６、および減圧構造１０を備える。外装体１２内部にはセル１４を設け、セル１４は巻回電極体１４２と、巻回電極体１４２の正極と負極から延出した導電タブ１４４と、正極と負極の導電タブ１４４に接続する２つの内端子１４６を備える。
蓋体１６は外装体１２上部に設置され、蓋体１６上部には減圧構造１０を設ける。減圧構造１０は複数の減圧パターン２２から構成され、各減圧パターン２２は、ガイド線２２０、破裂線２２２、および緩衝線２２４に分かれる。緩衝線２２４はガイド線２２０と破裂線２２２の間に配置され、ガイド線２２０と破裂線２２４を連通させる。破裂線２２２は相互連通して１つの連続破裂線２２６になる。
【００１３】
更に、本考案のエネルギー貯蔵装置の外装体１２には少なくとも１つの開口１２２を設ける。本実施例では２つの開口１２２を設けたものを例に挙げる。
各開口１２２上部には蓋体１６を設ける。蓋体１６にはそれぞれ貫通孔１６２を設け、内端子１４６を外に突出させて導電端子１８を接続設置する。導電端子１８と蓋体１６の間にはワッシャー２０を更に設け、蓋体１６上の貫通孔１６２と導電端子１８の隙間を密閉する。
【００１４】
図４は減圧構造を示す図である。
図に示すように、外装体エンドプレート上には、スタンピングにより外装体エンドプレート上に成形された複数の減圧パターン２２を有する。減圧パターン２２はスタンピング成形により厚みが減少した外装体エンドプレート上に位置する。また、減圧構造１０は外装体１２の任意の位置に設置できる。好ましい実施例では、外装体エンドプレートを蓋体１６とし、減圧パターン２２は蓋体１６表面の少なくとも３分の１のスペースに施すことで、減圧パターン２２の減圧作用を更に増強する。
本実施例では、３つの減圧パターン２２を用いたものを例に挙げる。図４が示すように、本考案は２つまたは３つ以上の減圧パターン２２を蓋体１６上に更に設けることができる。減圧パターン２２は、ガイド線２２０、破裂線２２２、および緩衝線２２４に分かれる。ガイド線２２０と破裂線２２２の間を緩衝線２２４が連通する。ガイド線２２０は緩衝線２２４と連通する箇所から分岐して延伸したものである。ガイド線２２０は屈折線または円弧線である。破裂線２２２も緩衝線２２４と連通する箇所から分岐して延伸したものであり、屈折線または円弧線である。破裂線２２２は相互連通し、１つの連続破裂線２２６を形成する。
これにより、外装体１２の内圧が設定値を超過した時、減圧パターン２２の各ガイド線２２０から圧力が連続破裂線２２６に誘導され、連続破裂線２２６は裂開し、外装体１２内部の圧力が開放される。また、本考案の蓋体は任意の形状であり、減圧構造１０の位置も問わず、減圧パターン２２の大きさの範囲はおよそ蓋体１６の大きさの少なくとも３分の１である。
【００１５】
図５は減圧状態を示す図である。図が示すように、外装体１２の内圧が設定置を超過した時、減圧パターン２２のガイド線２２０から圧力が連続破裂線２２６に誘導された後、連続破裂線２２６は裂開し、外装体１２内の気体が亀裂から外装体１２の外に放出される。
こうしてエネルギー貯蔵装置の使用上の安全性が高められる。実施例では本考案のエネルギー貯蔵装置は電池であり、好ましい実施例では、エネルギー貯蔵装置は二次電池である。また、減圧パターン２２は凹パターンでも凸パターンでもよい。
【００１６】
以上は本考案の好ましい実施例を示したに過ぎず、本考案の実施範囲を限定するものではない。従って、本考案の精神と領域を脱しない範囲内で加えた特徴等各種の変更や潤色は全て、本考案の実用新案登録請求の範囲内に含まれる。
【符号の説明】
【００１７】
１０  減圧構造
１２  外装体  
１４  セル  
１６  蓋体  
１８  導電端子 
２０  ワッシャー
２２  減圧パターン 
５０  エンドキャップ
５２  外装体 
５４  貫通孔
５６  安全弁 
１２２  開口
１４２  巻回電極体
１４４  導電タブ
１４６  内端子 
１６２  貫通孔
２２０  ガイド線   
２２２  破裂線
２２４  緩衝線   
２２６  連続破裂線
【図１】
0003178423.tif 000003
【図２】
0003178423.tif 000004
【図３】
0003178423.tif 000005
【図４】
0003178423.tif 000006
【図５】
0003178423.tif 000007